(57)【要約】      （修正有）【課題】展示対象物の出し入れが可能であり、破損時の交換も容易で、展示者の好みに応じて展示ケースの背景を変更することができる展示ケースを提供する。【解決手段】展示ケース１は、展示対象物を載せる展示台２と、展示カバー４を支える多面体形状の支柱枠３と、展示台２の上部に展示対象物を囲うように支柱枠３の側面に設けられる展示カバー４と、支柱枠３の上部に設けられる脱着可能な補強枠とを備え、支柱枠３の上部と補強枠との間に展示カバー４を設け、支柱枠３に展示カバー４を挿入するための切込み部を設ける。【選択図】図１
0003234968.tif 000002
【実用新案登録請求の範囲】
【請求項１】
展示ケースであって、
展示対象物を載せる展示台と、
当該展示カバーを支える多面体形状の支柱枠と、
当該展示台の上部に前記展示対象物を囲うように支柱枠の側面に設けられる展示カバーと、
当該支柱の上部に設けられる脱着可能な補強枠と、
前記支柱枠の上部と前記補強枠との間に展示カバーとを備え、
前記支柱枠に展示カバーを挿入するための切込み部を設けることを特徴とする展示ケース。
【請求項２】
前記補強枠の上部に設けられる脱着可能な天版を有することを特徴とする請求項１に記載の展示ケース。
【請求項３】
前記展示カバーが脱着可能であることを特徴とする請求項１又は２に記載の展示ケース。
【請求項４】
前記展示カバーが特定の図柄を設けたものであり、当該図柄を設けた１以上の展示カバーを、展示場所の雰囲気や展示対象物の内容に応じて取り換え可能であることを特徴とする請求項１から３のいずれか１項に記載の展示ケース。
【請求項５】
前記支柱枠の少なくとも一辺の略中央部に展示カバー取り外し凹部を形成することを特徴とする請求項１から４のいずれか１項に記載の展示ケース。
【請求項６】
前記支柱枠の少なくとも一辺に辺を貫通する空洞部を設けることを特徴とする請求項１から５のいずれか１項に記載の展示ケース。
【請求項７】
前記支柱枠の少なくとも一つの側面に扉枠を設けることを特徴とする請求項１から６のいずれか１項に記載の展示ケース。
【請求項８】
前記支柱枠の少なくとも一つの側面に扉枠を設けた展示ケースであって、
前記支柱枠と前記展示台が一体的に形成され、
前記扉枠を設けた支柱枠の側面を形成する支柱が当該扉枠の厚み分展示ケースの内側に配置されていること、
を特徴とする請求項７に記載の展示ケース。
【考案の詳細な説明】
【技術分野】
【０００１】
本発明は、模型やフィギュア等の玩具、ひな人形や五月人形等の節句人形等を展示するための展示ケースに関するものである。
【背景技術】
【０００２】
従来、模型やフィギュア等の玩具、ひな人形や五月人形等の節句人形等をコレクションして透明ケースに収めて展示するようなことは行われている。また、四季の中で育まれた多くの「節句」は代表的な日本の季節行事であり、日本古来より、この様な節句人形のひな人形や五月人形等をケースに入れて飾る習慣がある。このような場合に用いられる展示用のケースとしては、ガラスやアクリル等の透明なカバーに覆うようにしてこれらの展示対象物を収めて展示することが多いことは知られている。
【０００３】
従来からある展示ケースにおいては、展示者のニーズに応じて様々な工夫が施されているものがある。例えば、展示対象物の高さに応じて調整できるようにした展示ケースであったり（特許文献１）、展示対象物を挟持保持することにより自立又は空中静止しているかの状態で展示可能であったりする展示ケース（特許文献２）等も知られている。
【先行技術文献】
【特許文献】
【０００４】
【特許文献１】実用新案登録第３０９６５８７号公報
【特許文献２】特開２００５―７４２００号公報
【考案の概要】
【考案が解決しようとする課題】
【０００５】
この様に従来の展示ケースは、自身のコレクションを好みの状態で展示することができる点で非常に優れたものである。自身のコレクションを自身の好みの状態に合わせて展示するということは、展示者にとって重要なニーズの一つと言えるものである。この様なニーズは多岐に渡るものであり、展示者のニーズをすべて満たすような展示ケースというものを提供することは現実的には非常に困難なものである。
【０００６】
そこで、本考案は前記引用文献の展示ケースの特徴とは異なり、大きな展示ケースであっても展示対象物の出し入れが容易にでき、破損時の交換も容易で、展示者の好みに応じて展示ケースの背景を変更することができる展示ケースを提供することを目的とする。
【課題を解決するための手段】
【０００７】
本考案の展示ケースは以下の（１）〜（６）に関するものである。
（１）展示ケースであって、展示対象物を載せる展示台と、当該展示カバーを支える多面体形状の支柱枠と、当該展示台の上部に前記展示対象物を囲うように支柱枠の側面に設けられる展示カバーと、当該支柱の上部に設けられる脱着可能な補強枠と、前記支柱枠の上部と前記補強枠との間に展示カバーとを備え、前記支柱枠に展示カバーを挿入するための切込み部を設けることを特徴とする展示ケース。
（２）前記補強枠の上部に設けられる脱着可能な天版を有することを特徴とする前記（１）に記載の展示ケース。
（３）前記展示カバーが脱着可能であることを特徴とする前記（１）又は（２）に記載の展示ケース。
（４）前記展示カバーが特定の図柄を設けたものであり、当該図柄を設けた１以上の展示カバーを、展示場所の雰囲気や展示対象物の内容に応じて取り換え可能であることを特徴とする前記（１）から（３）のいずれか１つに記載の展示ケース。
（５）前記支柱枠の少なくとも一辺の略中央部に展示カバー取り外し凹部を形成することを特徴とする前記（１）から（４）のいずれか１項に記載の展示ケース。
（６）前記支柱枠の少なくとも一辺に辺を貫通する空洞部を設けることを特徴とする前記（１）から（５）のいずれか１つに記載の展示ケース。
【考案の効果】
【０００８】
本考案の実施形態に係る展示ケースは、展示ケースの大きさに関わらず展示対象物の出し入れが容易である。また、展示カバーが脱着できるものであれば展示カバー等が破損した際も容易に交換が可能となる。さらに、展示カバーに特定の図柄のものを設ければ展示者の好みに応じて展示ケースの背景を変更することができ、展示者の満足を満たすことが可能となる。
【図面の簡単な説明】
【０００９】
【図１】本考案の実施形態に係る展示ケースの概要図である。
【図２】本考案の実施形態に係る展示ケースの分解図である。
【図３】本考案の実施形態に係る展示ケースの補強枠の図である。
【図４】本考案の実施形態に係る展示台を示す図である。
【図５】本考案の実施形態に係る支柱枠の詳細形状を示す図である。
【図６】本考案の実施形態に展示カバーの交換例を示す図である。
【図７】本考案の実施形態に係る支柱枠の側面を示す図である。
【図８】本考案の実施形態に係る支柱枠に空洞部１２を設けた状態を示す図である。
【図９】本考案の第２の実施形態に係る展示ケースの概要図である。
【図１０】本考案の第３の実施形態に係る展示ケースの概要図である。
【図１１】本考案の第４の実施形態に係る展示ケースの概要図である。
【図１２】本考案の第４の実施形態で使用する扉枠を示す図である。
【考案を実施するための形態】
【００１０】
図１は、本考案の実施形態の展示ケースの概要を示すものである。１は本実施形態の展示ケースである。展示ケース１は、展示台２、支柱枠３、展示カバー４、天板５、補強枠６（後述；天板５の支柱枠３の間に形成）からなる。本実施形態においては、展示台２、支柱枠３、天板５、補強枠６は木製のものを使用したが特にこれに限定されるものではなく、プラスチックや金属などの素材を用いても良い。
【００１１】
図２は、本考案の実施形態の展示ケース１の分解図である。図２（ａ）は天板５、図２（ｂ）は支柱枠３、図２（ｃ）は展示台２を示す。これら展示台２、支柱枠３、展示カバー４、天板５、および補強枠６（図３で図示する。）を組み合わせることにより展示ケース１を構成する。なお、本実施形態では展示台２、支柱枠３、展示カバー４、天板５、補強枠６をそれぞれ別パーツとしたがこれに限定されるものではなく、展示台２と支柱枠３、支柱枠３と展示カバー４等を一つのパーツとして構成することも可能であり、例えば展示台２と支柱枠３を一体化する等、一部を一体化することもできる。
【００１２】
本実施形態で使用した支柱枠３は、図２（ｂ）に全体図を示し、図５に支柱枠３の詳細な形状を示す。支柱枠３は多面体形状をしており、多面体の各頂点同士が辺を構成する支柱で繋がった形状である。本実施形態においては展示カバー４を一体化しておらず、直方体の各面は空洞状である。本実施形態では四面体（直方形状）の支柱枠３を使用したが、三角柱や五角柱や六角柱や八角柱、三角錐や四角錐等の形状とすることも可能である。本実施形態で使用する支柱枠３は、支柱枠３単体で立方体や直方体の辺と同じ形状の一体構造が保たれていることにより、高い強度が確保できていることが特徴である。
【００１３】
本実施形態の展示カバー４は、展示前面部の前面（側面）カバー４ａ、当該前面カバー４ａの対面の後面（側面）カバー４ｂ、展示側面部の第１の側面カバー４ｃとその対面の第２の側面カバー４ｄ、上面の天面カバー４ｅからなる。本実施形態の展示カバー４は、透明で硬質や半硬質の合成樹脂（例えば、アクリル、ポリ塩化ビニル、ポリプロピレン、ポリスチレン、ガラス等）の素材のものが使用可能である。なお、本実施形態では０．５ｍｍ厚の透明のポリ塩化ビニル樹脂を使用した。本実施形態で使用する展示カバーの厚みとしては大きさや構造によるものなので特に限定するものではないが、０．３ｍｍ〜１．５ｍｍ程度のものが使用でき、０．５ｍｍ〜１ｍｍ程度であることが展示ケース全体の軽量化や低コスト化の観点で好ましい。また、当該展示カバー４は前述の支柱枠３の切込み部９（後述、図５に図示する。）に上部から差し込むように挿入して装着する。当該展示カバー４は、展示ケース１の外周を覆うようにすべての展示カバー４（本実施形態においては４ａ〜４ｄ）を挿入した。また、支柱枠３の天井側に展示カバー４ｅを載置し、その上に補強枠６を設けた。展示カバーを本実施形態のような態様にすることにより、キズや破損が生じた場合であっても従来の一体型のアクリルケース等と比べて容易に交換が可能となる点で優れるものである。なお、本実施形態においては天板５を使用するため、上述の天面カバー４ｅは省略することも可能である。
【００１４】
本実施形態の天板５は、図２（ａ）に示す。天板５の形状としては天板５の裏面に溝部が設けられ当該溝部の内周が、支柱枠３及び補強枠６の外周よりも大きく形成される。これにより、支柱枠３の天井部又は補強枠６に被せて天板５を載置することができる。
【００１５】
図３は本実施形態で使用する補強枠６を図示したものである。補強枠６は展示ケース１に載置された支柱枠３の上部に被せるようにして載置する。具体的には補強枠６の内側に形成した溝部８を支柱枠３の天井側の外周を覆うように被せて載置する。また、本実施形態の補強枠６は棒状の部材の端部を接合して略四角形状として中は空洞となっているため、支柱枠に装着した状態でも天井部から展示物が視認できる。前述の通り、支柱枠３自体にも十分な強度が認められるが、補強枠６を使用することにより、さらに展示ケース１の強度が増すことができるため、ある程度衝撃や地震の揺れ等にも耐えることが可能となる。
【００１６】
図４は本実施形態の展示台２を図示したものである。図４に示すように支柱枠３を設置できるように展示台２の外周に溝部８を形成し、支柱枠３の底面の枠は当該展示台２の溝部８に載置する。前述の展示対象物は展示台２の上に様々な状態で展示することができる。
【００１７】
図５は本実施形態で使用した支柱枠の詳細な形状を示したものである。図５（ａ）は支柱枠３の頂点角部を上部からみた図であり、図５（ｂ）は支柱枠３を頂点角部の斜視図である。９は支柱枠３に形成された切込み部である。切込み部９は支柱枠３に１〜２ｍｍ程度の切込みを設けたものであり、この切込み部９に展示カバー４（本実施形態においては４ａ〜４ｄ）を挿入することが可能となる。切込み部の寸法は特に限定されるものではないが、好ましくは０．５〜３ｍｍが本考案の展示ケースには好ましい。また、図５の１０は補強板を示す。補強板１０は支柱枠３の頂点角部の天井側に三角形状の板を設けることにより形成する。当該補強板１０は頂点角部に設けることにより、展示ケース１の強度が増すため、ある程度衝撃や地震の揺れ等にも耐えることが可能となる。なお、本実施形態では支柱枠３に補強板１０を設けたが補強板１０は必須の構成ではなく、必要に応じて適宜設けるようにする部材であるが、より展示ケースの強度が求められるような用途であれば補強板１０を設けることが好ましい。本実施形態の支柱枠３を用いることにより、展示ケースが大型化したとしても強度を確保することが可能となる。従来の透明プラスチック（アクリル樹脂等）ケースの一体化の展示ケース等は透明プラスチックの厚みを増加させる必要があり、安価な透明プラスチックの場合は透明性の低下による可視性の悪化が生じることもあった。これに対して、高価なアクリル樹脂を使用することにより可視性を高くすることは可能であったが、コストが大幅に増える問題があった。本実施形態の展示ケースでは支柱枠３を使用しているため展示カバーの厚みを増す必要性は高くなく、コストも削減でき、高い透明性・可視性も実現可能となる。
【００１８】
図６は特定の図柄を設けた展示カバーの例である。７は青空の図柄を設けた展示カバー、７’は宇宙の図柄を設けた展示カバー、７’’夕焼けの図柄を設けた展示カバーである。これらの特定の図柄を設けた展示カバーは、前述の展示カバー４に変えて、若しくは前述の展示カバー４と同時に支柱枠３の切込み部９に挿入することにより使用することが可能である。これにより、例えば、建築物等の模型を展示する場合は青空や夕焼けの背景を合わせて使用することにより臨場感を高めたり、潜水艦の模型に水中の背景を合わせたり、宇宙船等の模型を展示する場合は宇宙の背景を合わせて使用すたりすることにより鑑賞のリアリティを高めたりすることが可能となる。この様に夕焼けや水中の表現を行う場合には、背景の変更だけでなく、全面または背景以外の全面でクリアーオレンジやクリアーブルーの展示カバーを使用することも可能となる。さらに、自作の絵や写真、鏡面等も背景として使用することも可能である。その他にも、節句人形を展示する際には、金色の画用紙等によって金張の背景を表現することにより、金張の展示ケースを新たに購入することなく、節句の時期に節句人形を展示することも可能である。また、普段の展示物がぬいぐるみやフィギュアの場合は、節句人形を所持していなくても、例えば５月前後の子供の節句の時期であれば、折り紙等の自作の兜を展示物にかぶせ、背景を金張風に変更して季節感を演出するといった使用例も考えられる。さらには、和紙や障子紙などを、本実施形態の支柱枠３の切込み部に抜き差しできるように加工し、中に灯りを設置すれば行燈としても使用することも可能である。
【００１９】
図７は支柱枠３を側面からみた図である。図７中で示す１１は展示カバー取り外し凹部である。取り外し凹部１１は、展示カバー４を取り外す際に指等が引っ掛かり易くするため凹部である。当該取り外し凹部１１は支柱枠３が展示カバー４と接地する辺の少なくとも一部に設けられる。本実施形態においては、直方体形状の支柱枠３のうち、長辺側の辺の略中央部に取り外し凹部１１をそれぞれ２箇所に形成した。支柱枠３の対面の辺に２箇所設けることにより、より展示カバー４が取り外し易くなる。
【００２０】
図８は本実施形態の展示ケースに追加できる構造を示したものである。図２に記載の支柱枠３の一部に加工を行い、図８に示すように空洞部１２を支柱枠３の少なくとも一辺に、当該支柱枠を貫通する状態で形成する。当該空洞部１２は、展示カバーを二重で設けることを目的とするものであり、前記展示カバー４や背景を設けた展示カバーを挿入するためのもので前述の展示カバーの使用例と同様の使い方ができる。これにより、当該空洞部１２に展示カバー４を挿入した状態で展示することも可能となる。また、前述の支柱枠３に設けた切込み部９に展示カバーを挿入し、加えて当該空洞部１２に背景の図柄等を設けた写真や絵等を挿入することも可能となる。また、当該空洞部１２を設けることにより、一つの切込み部９に展示カバー４を２枚挿入する場合に比べて透明板に擦り傷が付くリスクを低減することができる。空洞部１２は前述の取り外し凹部１１を設けた辺と同じ辺に形成した。具体的には、直方体形状の支柱枠３の上側のうち、長辺側の辺の厚みの中央付近に支柱枠の辺に、展示ケース上部から下部にかけて貫通する状態で辺と略等しい長さ（両端部に空洞部を設けない）に空洞部を設けた。
【００２１】
また、本実施形態では特定の図柄を設けた展示カバーを使用したが、展示カバー４に特定の図柄を取り付けられるような取付部を設け、当該取付部に写真や画像の印刷物を取り付けることにより図柄を設けた展示カバーと同様の効果を得られることができる。当該取付部としては、例えば展示カバー４の四隅に前記印刷物の角を差し込むことができるような形状（例：三角形状で２辺が展示カバーの角に展示カバー４に固着され残りの１辺の内側部が開放されている形状等）とすることもできる。本形態の実用上の工夫としては、傷が付きにくい硬質な透明アクリル板を使用し、中央を大きく透明部として残し、周囲を好みの色や図柄などで塗り潰すことによって、正面から展示カバー外側の取り付け部が見えないようにすること等が考えられる。
【００２２】
図９は、本考案の第２の実施形態の展示ケース１の概要を示すものである。第２の実施形態の展示ケース１は、実施形態１と同じ展示台２、支柱枠３、展示カバー４（前述の展示カバー４ａ〜４ｅ）、補強枠６からなるものであり、前述の図１等の実施形態の展示ケースから天板５を取り除いたものである。天板５は本考案においては、必須のものではなく、天板５を使用する展示ケースも天板５を使用しない展示ケースも本考案に含まれるものである。なお、天板５を使用しない本第２の実施形態の展示ケース１は、支柱枠３の天井側に展示カバー４ｅを載置し、その上に補強枠６を設けるものである。従って、天板５で覆われることがないため、天井側の展示カバー４ｅとして透明のものを用いれば上方からも展示物を視認することができ、様々な角度から展示物を見ることが可能となる。天板５を設けなくても本実施形態で使用する補強枠６を形成するため十分な強度を確保することができる。さらに、前述の特定の図柄を設けた展示カバーを使用することにより、より展示物のシチュエーションの没入感を向上させることができるといった効果も奏する。
【００２３】
図１０は、本考案の第３の実施形態の展示ケース１の概要を示すものである。第３の実施形態の展示ケース１は、実施形態１と基本構造は同様であり、展示台２、支柱枠３、展示カバー４（前述の展示カバー４ａ〜４ｅ）、補強枠６からなるものである。本第３の実施形態の展示ケースは、支柱枠３に扉枠１３を設けた展示ケースであり、当該扉枠１３を開け閉めすることにより、展示物の出し入れを行うことができる。この点で本考案の第１の実施形態及び第２の実施形とは異なる支柱枠３の構造となる。図１０に示すように、本考案の第３の実施形態の展示ケース１は、支柱枠３の側面の１つに扉枠１３を備える構造となる。従って、扉枠１３を含めた展示ケース１全体の構造が略直方体になるように、扉枠１３の厚みが外側に飛び出さない構造とする。この様な構造にすることにより、展示ケース１から扉枠１３の厚み分外に飛び出すことがなく、全体として略直方体となるため美観が優れる。また、後述する空洞部１２が隠れて見えなくなるため外観を損ねない。
【００２４】
具体的な構造としては、支柱枠３の扉枠１３を設置する側面を構成する支柱（本実施形態においては２本の支柱）を扉枠１３の厚み分だけ展示ケース１の内側にオフセット（移動）させた構造とする。この様な構造とするため、本第３の実施形態においては展示台２と支柱枠３は一体的に形成した。
【００２５】
扉枠１３の構造は略四角形であり、扉枠１３を設ける側の展示ケース１の幅と同程度であり、補強枠６と展示台２に挟まれる幅と同程度の高さを有するものである。また、扉枠１３を閉めた状態で扉枠１３が動かないように前記支柱枠の支柱と重なる箇所に磁石１４を設ける。また、当該磁石１４を設けた個所と重なる支柱枠３の支柱の箇所にも同様に磁石１４を設ける。これにより扉枠１３を閉めるとお互いの磁石１４の磁力より閉めた状態を維持することが可能となる。さらに、扉枠１３の磁石１４を設けた辺の反対側の面には取っ手１８を設ける。なお、本実施形態では磁石１４を使用したが、閉じた状態を保持できるものであればこれに限定されるものではない。また、本実施形態では取っ手１８を設けたが、これも本実施形態の展示ケース１に必須のものではなく、設けなくても良いし、扉枠１３の開閉がしやすいように扉枠１３の１辺の内側（展示ケースの支柱枠３側）に指を掛けられるような凹部を形成してもよい。
【００２６】
また、図１０に示す通り、扉枠１３は４辺で囲まれた略四角形であり、中央部は空洞となっている。これにより、扉枠１３側から展示ケース１を見たとしても展示物を視認することができる。また、扉枠１３の高さ方向の２つの辺は支柱枠３の支柱と同じ幅のものを用いる。これにより、扉枠１３を閉じた際に支柱枠と扉枠１３の縦の支柱が同じ幅となり見栄えも良くなる。また、扉枠１３の上下の２辺の幅は特に指定はないが、強度や展示物の視認性の観点から適切な幅とすることが好ましい。第３の実施形態においては、支柱枠３の支柱の幅と同程度の幅のものを用いた。さらに、扉枠１３の上部の辺には空洞部１２を設け、扉枠１３の残り３辺の空洞側に面する箇所には扉枠切込み部１９を設けた。これにより、当該空洞部１２と扉枠切込み部に前述の展示シート類を差し込むことが可能となる。
【００２７】
本第３の実施形態において展示ケース１は右開きとするため、扉枠１３は支柱枠３の一つの側面の右側の支柱枠に取り付けを行った。扉枠１３の取り付け方としては、略四角形の扉枠１３と前記支柱枠の１つの支柱を、各々が重なるお互いの一つの辺の部分に２つの蝶番１５により接合した。
【００２８】
以上、第３の実施形態の扉枠１３を設けた展示ケース１を示したが、特にこれらの構造に限定されるものではなく、請求項に記載された範囲内において目的に応じて変更・変形することが可能である。
【００２９】
図１１は、本考案の第４の実施形態の展示ケース１の概要を示すものである。第４の実施形態の展示ケース１は、実施形態１と同じ展示台２、支柱枠３、展示カバー４（前述の展示カバー４ａ〜４ｅ）、補強枠６からなるものである。本第４の実施形態の展示ケース１は、前述の第３の実施形態と同様、扉枠１３を設けるものであり、扉枠１３の構造以外は第３の実施形態と同じである。
【００３０】
図１２に、本考案の第４の実施形態で用いた扉枠１３の構造を示す。第４の実施形態の扉枠１３は基本的な構造は第３の実施形態で用いた扉枠１３と同じものであるが、扉枠１３の上部の辺に扉枠用補強枠１６を設けた点で構造が異なるものである。図１２（ａ）は、第４の実施形態で使用する扉枠１３に扉枠用補強枠１６を設けた状態、図１２（ｂ）は、扉枠用補強枠の断面が見える状態を示したものである。また、図１２（ｃ）は扉枠１３を支柱枠３と接する面側から見た構造を、図１２（ｄ）は扉枠１３を展示ケース１の外側から見た構造を示す。
【００３１】
第４の実施形態で使用する扉枠１３は、図１２（ｃ）（ｄ）で示す形状であり、左右の辺と下辺は第３の実施形態と同様の構造であり、扉枠１３の当該３辺の空洞側に面する箇所には扉枠切込み部１９を設けたものである。第４の実施形態では、扉枠１３の上辺には扉枠用展示カバー着脱口１７を設ける。これにより、当該扉枠用展示カバー着脱口１７から前述の展示カバー類を挿入し、扉枠切込み部１９を介して差し込むことができる。その後、扉枠１３に扉枠用補強枠１６を設置して展示ケース１に第３の実施形態と同様に取り付ける。
【００３２】
第３の実施形態の様な扉枠１３を使用することも展示ケース１としては十分なものではあるが、強度不足や経年による変形を生じる恐れが考えられる。これに対して、第４の実施形態の様な扉枠１３では扉枠用補強枠１６を使用するため、強度の低下や経年による変形を低減させることが可能となる。
【００３３】
以上、第４の実施形態の扉枠１３を設けた展示ケース１を示したが、特にこれらの構造に限定されるものではなく、請求項に記載された範囲内において目的に応じて変更・変形することが可能である。
【００３４】
各実施の形態および変形例は、処理内容を矛盾させない範囲で適宜組み合わせることが可能である。
＜変形例＞
（１）本実施形態の展示ケース１は略長方体の形状のものを示したが、特にこれに限定されるものではなく、三角柱形状や六角柱形状や三角錐や四角錘等、また展示カバーに薄くて柔らかい塩ビ板を使用すれば円柱形形状とすること等も可能である。
（２）本実施形態では展示カバーとして透明のものや図柄を設けたものを使用したがミラータイプの展示カバーも使用することができる。
（３）本実施形態では補強枠６を展示台２と略平行な天井部に設けたが、天井が高い展示ケースの場合（例えば人の手が届き難いようなもの）は当該補強枠６に相当する形状の部分を横面に設けることも可能である。これにより、展示カバーを横から取り換えることが可能となり、縦型の展示ケースでも交換が容易となる。
（４）本実施形態の他に、安価な透明塩ビ板やプラ板を使用する場合には、透明板に擦り傷が付きやすいと思われるため、展示カバーと同時に支柱枠の切り込み部に挿入することはなるべく避ける方が好ましい。
（５）本実施形態における支柱枠３に二重に切込み部９を設けた展示ケースを用いることにより（図８）、展示カバー４の横幅が通常の寸法の半分強のものを２枚使用して、ふすま等と同じ構造にすることでスライド式展示ケースとしても使用可能である。
（６）本実施形態においては天井側から視認できる補強枠６を使用したが、展示カバー４を設ける空洞箇所を設けずに、補強枠６の空洞部分を板状のもので塞いで一体的な形状としても良い。これにより、天井側からの視認性はなくなるが、天井部の強度が向上するため、展示ケース１を積み重ねて使用して少ない床面積で展示量を増やすことも可能となる。
（７）本考案の第３の実施形態３と第４の実施形態の展示ケースは、扉枠１３を含めた展示ケース１全体の構造が直方体になる構造としたが、本考案の第１の実施形態や第２の実施形態の支柱枠３に扉枠１３をそのまま取り付けて使用することも可能である。また、第３の実施形態と第４の実施形態では扉枠１３を１つ設けたが、設置場所や用途に応じて２以上の扉枠１３を設けることも可能である。
（８）本考案の第３の実施形態及び第４の実施形態のでは扉枠１３の上部から展示カバー類を挿入する例を示したが、巨大で高さがある展示ケースや、縦長形状で縦横比が極端な展示ケース等の場合は、上部から展示カバーの脱着を行うことが困難となるため、側面から展示カバー類を挿入できるような形状としても良い。
【符号の説明】
【００３５】
１    展示ケース
２    展示台
３    支柱枠
４    展示カバー
５    天板
６    補強枠
７    青空の図柄を設けた展示ケース
７’    宇宙の図柄を設けた展示ケース
７’’    夕焼けの図柄を設けた展示ケース
８    溝部
９    切込み部
１０  補強板
１１  取り外し凹部
１２  空洞部
１３  扉枠
１４  磁石
１５  蝶番
１６  扉枠用補強枠
１７  扉枠用展示カバー着脱口
１８  取っ手
１９  扉枠切込み部
【図１】
0003234968.tif 000003
【図２】
0003234968.tif 000004
【図３】
0003234968.tif 000005
【図４】
0003234968.tif 000006
【図５】
0003234968.tif 000007
【図６】
0003234968.tif 000008
【図７】
0003234968.tif 000009
【図８】
0003234968.tif 000010
【図９】
0003234968.tif 000011
【図１０】
0003234968.tif 000012
【図１１】
0003234968.tif 000013
【図１２】
0003234968.tif 000014